(57)【要約】  【課題】  簡単で且つ確実に排水ホースを連結管に接続できる排水ホース固定部材を提供する。  【解決手段】  排水ホース固定部材１１を、支点となる開閉支持部材１２によって開閉自在に連結した一対の挟持部材１３，１３で構成する。各挟持部材１３は、開閉支持部材１２を挟んで対向する開閉操作部１４と、対向する２組のピンチ部１５ａ，１５ｂとをそれぞれ備え、２組のピンチ部の一方をエルボ３２の受口に接続した排水ホース３０の蛇腹部３０ａを締結する排水ホース締結部１６とし、他方をエルボ３２の受口近傍を締結する連結管締結部１７とする。開閉操作部１４，１４に、２組のピンチ部１５ａ，１５ｂが互いに閉じ合うように付勢するバネ部材１８を取り付ける。各挟持部材１３に、並設されたピンチ部材１５ａ，１５ｂの外面を繋ぐ連結部材１９を設ける。排水ホース固定部材１１とエルボ３２とを繋ぐ紛失防止部材２０を設ける。【選択図】  図１
2006322517.tif 000002
【特許請求の範囲】
【請求項１】
連結管の受口に接続した排水ホースを抜け止めする排水ホース固定部材において、該排水ホース固定部材は、支点となる開閉支持部材によって開閉自在に連結された一対の挟持部材から成り、各挟持部材は、前記開閉支持部材を挟んで対向する開閉操作部と、対向する２組のピンチ部とをそれぞれ備え、該２組のピンチ部の一方を前記連結管の受口に接続した排水ホースの蛇腹部を締結する排水ホース締結部とし、他方を前記連結管の受口近傍を締結する連結管締結部とするとともに、前記開閉操作部に、対向する２組のピンチ部が互いに閉じ合うように付勢するバネ部材を取り付けたことを特徴とする排水ホース固定部材。
【請求項２】
各挟持部材に、並設されたピンチ部材の外面を繋ぐ連結部材をそれぞれ設けたことを特徴とする請求項１記載の排水ホース固定部材。
【請求項３】
紛失防止部材によって、前記連結管と繋がれていることを特徴とする請求項１又は２記載の排水ホース固定部材。
【発明の詳細な説明】
【技術分野】
【０００１】
本発明は、排水ホース固定部材に関し、詳しくは、洗濯機の排水ホースを、排水トラップに連結された連結管の受口に接続する際に用いるのに適した排水ホース固定部材に関する。
【背景技術】
【０００２】
洗濯機の排水ホースを洗濯機パンに設けられた排水トラップに接続する際には、一般的に、排水トラップに接続されたエルボ等の連結管の受口に排水ホースの端部を挿入し、受口の外周をホースバンドで締め付けることにより、受口から排水ホースが抜けるのを防止するようにしている。また、排水ホースと排水トラップに連結される連結管との接続をワンタッチで行えるようにした接続構造も各種提案されている（例えば、特許文献１参照。）。
【特許文献１】特開２００４−７６２６２号公報
【発明の開示】
【発明が解決しようとする課題】
【０００３】
しかし、受口の外周をホースバンドで締め付けるものでは、ホースバンドの締付位置がずれると排水ホースが抜けやすくなるという問題があり、また、ホースバンドが紛失することもあった。一方、排水ホースと排水トラップに連結された連結管とをワンタッチで接続するものは、あらかじめ排水ホースと連結管とに接続用の特別な接続用部材をそれぞれ装着しなければならず、コストアップになるだけでなく手間がかかるという問題があり、部材の装着が不完全だと排水ホースが抜けたり、水漏れを起こしたりすることがある。
【０００４】
そこで本発明は、簡単で且つ確実に排水ホースを連結管に接続させることができる排水ホース固定部材を提供することを目的としている。
【課題を解決するための手段】
【０００５】
上記の目的を達成するため本発明は、連結管の受口に接続した排水ホースを抜け止めする排水ホース固定部材において、該排水ホース固定部材は、支点となる開閉支持部材によって開閉自在に連結された一対の挟持部材から成り、各挟持部材は、前記開閉支持部材を挟んで対向する開閉操作部と、対向する２組のピンチ部とをそれぞれ備え、該２組のピンチ部の一方を、前記連結管の受口に接続した排水ホースの蛇腹部を締結する排水ホース締結部とし、他方を前記連結管の受口近傍を締結する連結管締結部とするとともに、前記開閉操作部に、対向する２組のピンチ部が互いに閉じ合うように付勢するバネ部材を取り付けたことを特徴としている。
【０００６】
また、各挟持部材に、並設されたピンチ部材の外面を繋ぐ連結部材をそれぞれ設けても良く、さらに、排水ホース固定部材を、紛失防止部材によって、前記連結管と繋げておくこともできる。
【発明の効果】
【０００７】
本発明の排水ホース固定部材によれば、連結管の受口に排水ホースの接続側端部を接続し、該接続側端部外周を前記排水ホース固定部材の排水ホース締結部で締結し、連結管の外周を連結管締結部で締結することにより、排水ホースの抜けを簡単に防止できる。また、排水ホース締結部は、排水ホースの蛇腹部を締結するので、締結位置がずれることがなく、確実に排水ホースと連結管の受口とを締結することができる。
【０００８】
さらに、並設されたピンチ部材の外面を繋ぐ連結部材をそれぞれ設けたことにより、ピンチ部材を補強することができ、良好な状態で排水ホースや連結管を締結することができる。また、排水ホース固定部材と前記連結管とを繋ぐ紛失防止部材を備えているので、排水トラップの掃除やメンテナンス等の際に、排水ホース固定部材を外して、連結管から排水ホースを抜くことがあっても排水ホース固定部材が紛失するおそれがない。
【発明を実施するための最良の形態】
【０００９】
以下、本発明の一形態例を図面に基づいて詳しく説明する。図１は排水ホース固定部材を用いて排水ホースを接続した状態を示す正面図、図２は排水ホース固定部材の左側面図、図３は同じく右側面図、図４は同じく斜視図、図５は同じく分解斜視図である。
【００１０】
本形態例の排水ホース固定部材１１は、洗濯機の排水ホース３０を、排水トラップ３１に設けられた連結管となるエルボ３２の受口に接続した排水ホース３０を抜け止めするもので、支点となる開閉支持部材１２によって開閉自在に連結された一対の挟持部材１３，１３で構成されている。各挟持部材１３は、前記開閉支持部材１２を挟んで対向する開閉操作部１４と、２つのピンチ部１５ａ，１５ｂとをそれぞれ備え、対向する２組のピンチ部１５ａ，１５ｂのホース側のピンチ部１５ａ，１５ａを排水ホース締結部１６とし、エルボ側のピンチ部１５ｂ，１５ｂを連結管締結部１７としている。
【００１１】
開閉操作部１４には、対向する２組のピンチ部１５ａ，１５ｂが互いに閉じ合うように付勢するバネ部材１８が取り付けられ、その付勢力により、排水ホース締結部１６でエルボ３２の受口に接続した排水ホース３０の蛇腹部３０ａを締結し、連結管締結部１７でエルボ３２の受口近傍を締結する。
【００１２】
各挟持部材１３，１３に並設されたピンチ部材１５ａ，１５ｂの外面は、連結部材１９でそれぞれ連結され、また、挟持部材１３，１３には、該挟持部材１３，１３とエルボ３２とを繋ぐ紛失防止部材２０が取り付けられている。
【００１３】
開閉支持部材１２は、軟質の合成樹脂で板状に形成され、長手方向両側部に、挟持部材１３，１３が装着され、上面及び下面の長手方向には補強用のリブが複数形成されている。開閉操作部１４は、開閉支持部材１２の一側方に形成され、先端側を互いに離反する外方に反らして形成されている。また、開閉操作部１４の外面の長手方向には滑り止め用のリブが複数形成されている。
【００１４】
排水ホース締結部１６となる排水ホース側のピンチ部１５ａ，１５ａは、前記開閉操作部１４，１４の、開閉支持部材１２の他側方一端側を外方に湾曲させてそれぞれ形成され、ピンチ部１５ａ，１５ａの対向面は、該ピンチ部１５ａ，１５ａを閉じた時に、前記エルボ３２の受口に接続した排水ホース３０の蛇腹部３０ａを締結可能な円弧状に形成される。また、ピンチ部１５ａ，１５ａの対向面には、排水ホース３０の蛇腹部３０ａに嵌入可能なリブ１５ｃ，１５ｃが突設されている。
【００１５】
連結管締結部１７となるエルボ側のピンチ部１５ｂ，１５ｂは、前記開閉操作部１４，１４の、開閉支持部材１２の他側方他端側から外方に湾曲させてそれぞれ形成され、ピンチ部１５ｂ，１５ｂの対向面は、該ピンチ部１５ｂ，１５ｂを閉じた時に、前記エルボ３２の受口近傍を締結可能な円弧状に形成され、排水ホース締結部１６よりも大径の円弧状に形成されている。
【００１６】
バネ部材１８は、略Ｕ字状の板ばねで形成され、開閉操作部１４，１４の対向面に装着され、バネ部材１８によって、対向する２組のピンチ部１５ａ，１５ｂが互いに閉じ合うように付勢される。
【００１７】
また、前記紛失防止部材２０は、線材を折り曲げて形成され、略く字状に折曲された係合部２０ａと該係合部２０ａの両端部を内側に折り曲げて形成した取付部２０ｂ，２０ｂとを備えている。開閉操作部１４，１４の一端側には、挿通孔１４ａ，１４ａが形成され、該挿通孔１４ａ，１４ａに紛失防止部材２０の取付部２０ｂ，２０ｂが挿入される。
【００１８】
一方、前記エルボ３２の受口近傍には、連結管締結部１７の位置決めとなる環状リブ３２ａ，３２ｂが間隔を開けて周設され、排水トラップ側の環状リブ３２ｂには、紛失防止部材２０の取付部３２ｃが形成されている。
【００１９】
このように形成された排水ホース固定部材１１を用いてエルボ３２の受口に排水ホース３０を接続する際には、排水ホース３０の接続側端部をエルボ３２の受口に接続し、開閉操作部１４，１４を摘んで、ピンチ部１５ａ，１５ａ，１５ｂ，１５ｂを開状態とし、排水ホース締結部１６となるピンチ部１５ａ，１５ａを排水ホース３０の接続側端部に、連結管締結部１７となるピンチ部１５ｂ，１５ｂを環状リブ３２ａ，３２ｂ間のエルボ３２に配置し、開閉操作部１４，１４を摘んだ状態から解放することによって、バネ部材１８によってピンチ部１５ａ，１５ａと、ピンチ部１５ｂ，１５ｂとが互いに閉じ合い、ピンチ部１５ａ，１５ａで、排水ホース３０の接続側端部の蛇腹部３０ａを締結し、ピンチ部１５ｂ，１５ｂで、環状リブ３２ａ，３２ｂ間のエルボ３２を締結する。
【００２０】
このピンチ部１５ａ，１５ａと、ピンチ部１５ｂ，１５ｂの締結により、排水ホース３０が抜け止めされる。排水ホース固定部材１１は、ピンチ部１５ｂ，１５ｂが前記環状リブ３２ａ，３２ｂ間のエルボ３２を挟むことにより、常に適正な位置に装着されるとともに、前記ピンチ部１５ａ，１５ａのリブ１５ｃ，１５ｃが排水ホース３０の蛇腹部３０ａに嵌入され、さらに、環状リブ３２ａ，３２ｂとピンチ部１５ｂ，１５ｂとの当接により、装着された状態からずれることを防止できるので、排水ホース３０を常に良好な状態でエルボ３２に接続させることができる。さらに、排水ホース３０とエルボ３２とを頻繁に着脱することがあっても、排水ホース３０及びエルボ３２の耐久性を低下させることがない。
【００２１】
また、排水ホース固定部材１１は、開閉操作部１４，１４の操作で、排水ホース締結部１６と連結管締結部１７とを同時に開閉させるので、簡単に操作することができる。さらに、各挟持部材１３，１３に並設されたピンチ部材１５ａ，１５ｂの外面を、連結部材１９でそれぞれ連結したことから、操作が安定するとともに、各ピンチ部材１５ａ，１５ｂの補強を図ることができ、また、確実な抜け止めを図ることができる。
【００２２】
さらに、紛失防止部材２０の係合部２０ａをエルボ３２に形成した取付部３２ｃに係合させ、取付部２０ｂ，２０ｂを開閉操作部１４，１４の挿通孔１４ａ，１４ａに挿入して係合させることにより、排水ホース固定部材１１の紛失防止を図ることができる。特に、排水トラップ３１の掃除やメンテナンス等の際に、排水ホース固定部材１１を外して、エルボ３２から排水ホース３０を抜くことがあっても、排水ホース固定部材１１は、紛失防止部材２０によってエルボ３２に繋がれた状態となっているので、紛失するおそれがない。
【００２３】
尚、本発明の排水ホース固定部材の形状は、上述の形態例に限るものではなく、開閉支持部材を軸部材で形成してもよく、バネ部材の取り付け位置や種類も任意で、コイルスプリングを用いることもできる。また、排水ホース固定部材は、洗濯機の排水ホースを、排水トラップに連結された連結管の受口に接続する際に用いられるものに限らず、流し台や冷暖房装置の配管等、排水ホースと連結管とを連結する際に広く適用することができる。さらに、紛失防止部材はリングや鎖で形成しても良い。
【図面の簡単な説明】
【００２４】
【図１】本発明の第１形態例を示す排水ホース固定部材を用いて排水ホースを接続した状態を示す正面図である。
【図２】排水ホース固定部材の左側面図である。
【図３】同じく右側面図である。
【図４】同じく斜視図である。
【図５】同じく分解斜視図である。
【符号の説明】
【００２５】
１１…排水ホース固定部材、１２…開閉支持部材、１３…挟持部材、１４…開閉操作部、１４ａ…挿通孔、１５ａ，１５ｂ…ピンチ部、１５ｃ…リブ、１６…排水ホース締結部、１７…連結管締結部、１８…バネ部材、１９…連結部材、２０…紛失防止部材、２０ａ…係合部、２０ｂ…取付部、３０…排水ホース、３０ａ…蛇腹部、３１…排水トラップ、３２…エルボ、３２ａ，３２ｂ…環状リブ、３２ｃ…取付部
【図１】
2006322517.tif 000003
【図２】
2006322517.tif 000004
【図３】
2006322517.tif 000005
【図４】
2006322517.tif 000006
【図５】
2006322517.tif 000007